(57)【要約】【課題】算出される二酸化炭素排出量により運転制御を行い、省エネルギーを実現できる空気調和機を提供する。【解決手段】消費電力から二酸化炭素排出量を算出して表示する表示部と、前記算出された二酸化炭素排出量から機器本体の運転を制御する制御手段とを備え、制御手段は、所定の二酸化炭素排出量に達したときに運転ＯＦＦし、する算出される二酸化炭素排出量により運転ＯＦＦあるいは省エネ運転する（例えば、暖房時なら設定温度を下げる、冷房時なら設定温度を上げる運転）を行うことで、使用者の環境に対する配慮並びに、環境保全に参加しているという意識を高めることができ、省エネと環境保全に有用となる。【選択図】図４
2004060998.tif 000002
【特許請求の範囲】
【請求項１】
算出された二酸化炭素排出量から機器本体の運転を制御する制御手段を備えた機器において、前記制御手段は、所定の二酸化炭素排出量に達したときに運転ＯＦＦすることを特徴とする省エネ型機器。
【請求項２】
算出された二酸化炭素排出量から機器本体の運転を制御する制御手段を備えた機器において、
運転ＯＦＦする二酸化炭素排出量を設定する設定手段を備え、前記制御手段は、設定された二酸化炭素排出量に達したときに運転ＯＦＦすることを特徴とする省エネ型機器。
【請求項３】
算出された二酸化炭素排出量から機器本体の運転を制御する制御手段を備えた機器において、運転ＯＦＦする二酸化炭素排出量を記憶する記憶手段を備え、前記制御手段は、機器本体の運転ＯＮ後、記憶された二酸化炭素排出量になったときに自動的に運転ＯＦＦする自動運転モードを実行することを特徴とする省エネ型機器。
【請求項４】
算出された二酸化炭素排出量から機器本体の運転を制御する制御手段を備えた機器において、
運転ＯＦＦする二酸化炭素排出量を設定する設定手段と、運転ＯＦＦする二酸化炭素排出量を記憶する記憶手段とを備え、
前記制御手段は、設定された二酸化炭素排出量に達したときに運転ＯＦＦする設定運転モードと、機器本体の運転ＯＮ後、記憶された二酸化炭素排出量になったときに自動的に運転ＯＦＦする自動運転モードとのいずれかを選択して実行することを特徴とする省エネ型機器。
【請求項５】
請求項３または請求項４に記載の省エネ型機器において、前記自動運転モードの有効・無効を設定可能とされたことを特徴とする省エネ機器。
【請求項６】
前記自動運転モードの有効・無効を表示する表示部を備えたことを特徴とする請求項５に記載の省エネ型機器。
【請求項７】
請求項１に記載の省エネ型機器において、所定の二酸化炭素排出量に達したときに機器の運転をＯＦＦする運転ＯＦＦタイマーと、時間入タイマーとを併用可能に備えたことを特徴とする省エネ型機器。
【請求項８】
請求項１に記載の省エネ型機器において、時間切タイマーと、所定の二酸化炭素排出量に達したときに機器の運転をＯＦＦする運転ＯＦＦタイマーとを併用可能に備え、
前記制御手段は、両タイマーが共に設定されたときに、先に運転停止条件に達したタイマーにて運転ＯＦＦすることを特徴とする省エネ型機器。
【請求項９】
請求項８に記載の省エネ型機器において、前記制御手段は、前記２つのタイマーが共に設定されたときに、時間切タイマーを優先させることを特徴とする省エネ型機器。
【請求項１０】
請求項８に記載の省エネ型機器において、前記制御手段は、前記２つのタイマーが共に設定されたとき、二酸化炭素排出量による運転ＯＦＦタイマーを優先することを特徴とする省エネ型機器。
【請求項１１】
請求項９または請求項１０に記載の省エネ型機器において、前記２つのタイマーのどちらを優先するかを選択する選択手段が設けられたことを特徴とする省エネ型機器。
【請求項１２】
算出された二酸化炭素排出量から機器本体の運転を制御する制御手段を備えた機器において、
前記制御手段は、所定の二酸化炭素排出量に達したときに、設定温度をある変化幅だけ変更して所定時間運転後に運転ＯＦＦすることを特徴とする省エネ型機器。
【請求項１３】
算出された二酸化炭素排出量から機器本体の運転を制御する制御手段を備えた機器において、
前記制御手段は、所定の二酸化炭素排出量に達したときに運転ＯＦＦする運転ＯＦＦモードと、所定の二酸化炭素排出量に達したときに設定温度をある変化幅だけ変更して一定時間運転後、運転ＯＦＦする省エネ運転モードとのうちのいずれかを選択して実行可能とされたことを特徴とする省エネ型機器。
【請求項１４】
請求項１２又は１３に記載の省エネ型機器において、省エネ運転モードで、所定の二酸化炭素排出量になってから運転ＯＦＦするまでの時間を設定する変更時間設定手段が設けられたことを特徴とする省エネ型機器。
【請求項１５】
請求項１２又は１３に記載の省エネ型機器において、所定の二酸化炭素排出量になってから運転ＯＦＦするまでの設定温度の変化幅を設定する変更幅設定手段が設けられたことを特徴とする省エネ型機器。
【請求項１６】
請求項１〜１５のいずれかに記載の省エネ機器において、算出された二酸化炭素排出量を表示する表示部が設けられたことを特徴とする省エネ型機器。
【発明の詳細な説明】
【０００１】
【発明の属する技術分野】
本発明は、省エネルギーによる運転制御を実現できる空気調和機などの省エネ型機器に関するものである。
【０００２】
【従来の技術】
近年の省エネ型機器において、化石燃料の消費に伴う二酸化炭素による環境悪化が懸念されている中、使用者の環境に対する配慮並びに環境保全への参加意識の昂揚を図ることが重要な課題となっている。
【０００３】
この種の第１の従来技術として、特開平１１−１９４０３５号公報に記載されたものは、ガス給湯器のガス使用量、消費電力、ガス使用量から算出した二酸化炭素排出量等を表示させることで、使用者がエネルギー使用量を知ることができるものである。
【０００４】
第２の従来技術として、特開平１１−３３１７２４号公報記載のものは、消費電力量から発電所で排出される二酸化炭素排出量を計算し、情報表示装置に表示させるものである。
【０００５】
第３の従来技術として、特開２００１−１５３４２３号公報記載のものは、消費したエネルギー量（電力使用量やガス使用量）や二酸化炭素排出量を表示し、予め設定された目標二酸化炭素排出量に基づき、機器の使用可能な上限エネルギー量を変更することで、省エネ、二酸化炭素排出量の削減を行うシステムである。
【０００６】
また、特開平１１−１０４９３号公報記載のものは、空調機に電力計などの消費電力量をｋＷ表示や電気料金に換算して表示することや、運転の目標設定を行い、運転管理する制御について開示されている。
【０００７】
【発明が解決しようとする課題】
ところで、上記第１の従来技術及び第２の従来技術では、消費電力から二酸化炭素排出量を計算し、かつ表示するだけであり、使用者は二酸化炭素排出量を知ることしかできず、この二酸化炭素排出量に基づく機器の運転制御については一切記載されていない。
【０００８】
また、第３の従来技術では、予め設定された二酸化炭素排出量に基づき自動的に使用エネルギー量を制限し、二酸化炭素排出量を制限するシステムであるが、使用エネルギー量を制限するだけで、通常の冷暖房運転は継続して行われる制御となっている。
【０００９】
本発明は、このような従来の課題を解決するためになされたもので、算出される二酸化炭素排出量により、機器の運転制御を行い、省エネルギーを実現できる空気調和機等の省エネ型機器の提供を目的としている。
【００１０】
【課題を解決するための手段】
上記目的を達成するため、本発明は、算出される二酸化炭素排出量により運転ＯＦＦあるいは省エネ運転（例えば、暖房時なら設定温度を下げる、冷房時なら設定温度を上げる運転）を行うことで、省エネを実現するものである。
【００１１】
すなわち、本発明においては、算出された二酸化炭素排出量から機器本体の運転を制御する制御手段を備えた機器において、前記制御手段は、所定の二酸化炭素排出量に達したときに運転ＯＦＦすることを特徴としている。この構成によると、二酸化炭素排出量により空気調和機等の機器の運転を制御するので、使用者の環境に対する配慮並びに、環境保全に参加しているという意識を高めることができ、省エネと環境保全に有用となる。
【００１２】
ここで、所定の二酸化炭素排出量は、使用者が設定手段により設定するか、又は室内機に予め記憶させておくこともできる。使用者が設定する場合には、使用者の好みに合わせて設定できるので、省エネと環境保全に有用となる。記憶させた二酸化炭素排出量を採用する場合には、使用者が毎回入力する手間を省くことができる。
【００１３】
また、本発明においては、上記２つの運転モードを併用するために、運転ＯＦＦする二酸化炭素排出量を設定する設定手段と、運転ＯＦＦする二酸化炭素排出量を記憶する記憶手段とを備え、制御手段は、設定された二酸化炭素排出量に達したときに運転ＯＦＦする設定運転モードと、機器本体の運転ＯＮ後、記憶された二酸化炭素排出量になったときに自動的に運転ＯＦＦする自動運転モードとのいずれかを選択して実行するようにしてもよい。
【００１４】
この場合、自動運転モードの有効・無効を設定可能にするのが好ましい。この構成によると、自動ＯＦＦ機能の要否を使用者が選択することができる。有効・無効の設定は、機器本体あるいはリモコンを使って行えるようにすればよい。また、自動運転モードの有効・無効を機器本体やリモコンのＬＥＤ等で表示する表示部を備えた構成も採用できる。この構成によると、自動ＯＦＦ機能のＯＮ／ＯＦＦ状態を使用者が視覚的に判断することができる。
【００１５】
さらに、本発明においては、所定の二酸化炭素排出量に達したとき機器の運転をＯＦＦする運転ＯＦＦタイマーと、時間入タイマーとを併用可能に備えたことを特徴としている。この構成によると、時間入タイマーで運転ＯＮ後、設定された二酸化炭素排出量に達すると運転ＯＦＦすることで、設定時間になると運転をＯＦＦする時間切タイマーと同じ感覚にて使用することができる。
【００１６】
さらに、本発明においては、時間切タイマーと、設定された二酸化炭素排出量に達したとき機器の運転をＯＦＦする運転ＯＦＦタイマーとを併用可能に備え、前記制御手段は、両タイマーが共に設定されたときに、先に運転停止条件に達したタイマーにて運転ＯＦＦすることを特徴としている。この構成によると、２つのタイマーを同時に設定でき、且つ先に条件に達したタイマーで運転ＯＦＦするので、使用性がよい。
【００１７】
また、制御手段は、前記２つのタイマーが共に設定されたときに、時間切タイマーを優先させることもできる。この構成によると、時間切タイマーを優先タイマーとすることで、希望の時間に運転ＯＦＦすることができ便利である。
【００１８】
さらに、制御手段は、前記２つのタイマーが共に設定されたとき、二酸化炭素排出量による運転ＯＦＦタイマーを優先させることもできる。この構成によると、二酸化炭素排出量による運転ＯＦＦタイマーを優先タイマーとすることで、二酸化炭素排出量を使用者が制限できるので、便利である。
【００１９】
また、上記２つのタイマーのどちらを優先するかを選択する選択手段を設ければ、どちらを優先するか選択できるので使用性がよくなる。この場合の選択手段は、機器本体及びリモコンのいずれに設けてもよい。
【００２０】
また、本発明においては、制御手段は、所定の二酸化炭素排出量に達したときに、設定温度をある変化幅だけ変更して所定時間運転後、運転ＯＦＦすることを特徴としている。この構成によると、設定された二酸化炭素排出量に達すると運転ＯＦＦするのではなく、省エネ運転に切り換えた後、運転を停止するので、二酸化炭素排出量を削減できるとともに、急激な温度変動を緩和することができる。
【００２１】
さらに、本発明においては、所定の二酸化炭素排出量に達したときに運転ＯＦＦする運転ＯＦＦモードと、所定の二酸化炭素排出量に達したときに省エネ運転に切換える省エネ運転モードとのうちのいずれかを選択する選択手段を設けることもできる。この構成によると、二酸化炭素排出量により運転ＯＦＦするか、省エネ運転するかを選択できるので使用性がよくなる。この場合の選択手段は、上述と同様に、機器本体及びリモコンのいずれに設けてもよい。
【００２２】
また、省エネ運転において、その運転時間を設定する変更時間設定手段を設けるか、あるいは、運転ＯＦＦするまでの設定温度の変化幅を設定する変更幅設定手段を設けると、設定温度を段階的に変化させた後に運転ＯＦＦすることができ、使用感がよくなる。
【００２３】
さらに、上記各省エネ型機器において、算出された二酸化炭素排出量を表示する表示部を設けると、使用者は、表示部に示された二酸化炭素排出量情報を視認することができ、環境に対する配慮並びに環境保全への参加意識を昂揚することができる。
【００２４】
ここで、上記省エネ型機器としては、空気調和機、ガス給湯器、乾燥機や各種照明機器など、エネルギーを消費する各種機器が含まれる。また、算出される二酸化炭素排出量は、上記省エネ型機器により消費されるエネルギーの消費で生成されるすべての二酸化炭素量を含むものである。例えば、ガス給湯器の場合は、消費されるガス使用量から算出される二酸化炭素排出量のみならず、ガス給湯器で費やされる消費電力を発電所から排出される二酸化炭素量に換算したものも含むことができる。本発明は、これらの省エネ型機器の中でも、特に、居住空間に設置され、使用頻度が高く、かつ目につきやすい空気調和機に適用するのが好適である。
【００２５】
【発明の実施の形態】
以下、本発明に係る省エネ型機器の実施形態として、空気調和機を例に図面を参照しつつ説明する。
【００２６】
［第１の実施形態］
図１は本発明の第１の実施形態を示す分離型空気調和機の室内機１の外観図である。本発明に係る空気調和機は、図示しない室外機と室内機１とを備えた分離型空気調和機である。室内機１は、室内の壁面２の高所、例えば天井３付近に据え付けられており、リモコン６にて運転制御操作が可能となっている。
【００２７】
図１において、４はコンセント、５は室内機１の前面パネルに設けられた表示部である。室内機側の表示部５やリモコン６のデスプレイには、各種運転モードの表示や消費電力から算出された二酸化炭素排出量を表示できるようになっている。
【００２８】
図２は本発明の電気回路のブロック図である。図において、７は商用電源、８は消費電力測定手段、９は駆動回路、１０はマイコン、１１は各種制御機器を示す。駆動回路９の商用電源７側には消費電力測定手段８を設け、マイコン１０及び駆動回路９に電源が供給されることにより、制御機器１１を制御することができる。
【００２９】
駆動回路９は、トランジスタなどのスイッチング素子やリレーなどの駆動素子から構成され、圧縮機やファンモータなどの制御機器１１を駆動できるようになっている。制御機器１１の代表的なものとして、室内機１及び室外機に配置される圧縮機やファンモータなどがある。
【００３０】
マイコン１０は、ＣＰＵ、ＲＯＭ、ＲＡＭなどから構成される一般的なマイクロコンピュータであって、電力計などの消費電力測定手段８から出力される消費電力値を読み取って二酸化炭素排出量を演算する演算手段と、この演算手段からの演算結果により機器本体の運転を制御する制御手段とを備えている。また、マイコン１０には、使用者によって二酸化炭素排出量を設定可能の設定手段２２が接続され、さらに、設定された二酸化炭素排出量に達したとき機器の運転をＯＦＦする運転ＯＦＦタイマーと、設定時間に達したときに運転を開始／停止する入切タイマー２３とが設けられている。入切タイマー２３は、設定した時間になると運転を開始する入タイマー（以下、時間入タイマーという）と、設定時間になると運転を停止する切タイマー（以下、時間切タイマーという）とを備えている。また、前記設定手段２２は、室内機１の操作部やリモコン６の操作部から構成されている。
【００３１】
図３は消費された二酸化炭素排出量を算出する算出フローチャートである。図に示すように、マイコン１０では、消費電力測定手段８から出力される消費電力値を読み取り、その消費電力値から運転ＯＮしてからのトータル消費電力値を逐次計算し、トータル消費電力値から二酸化炭素排出量を計算して、運転ＯＮからの二酸化炭素排出量をセットする。そして、マイコン１０では、セットした二酸化炭素排出量が所定の二酸化炭素排出量に達したときに、運転ＯＦＦする信号を駆動回路９に出力し、運転ＯＦＦする制御を行う。
【００３２】
また、マイコン１０では、図４のフローチャートで示すように、所定の二酸化炭素排出量に達したときに機器の運転をＯＦＦする二酸化炭素排出量切タイマー（運転ＯＦＦタイマー）と、時間入タイマーとを併用してセットすることができる。すなわち、図４に示すように、リモコン６又は室内機１の操作部で入切タイマー２３を操作する場合は、時間入タイマーをセットし、操作ボタンにより、その設定値を室内機のマイコン１０へ送信する。
【００３３】
運転ＯＦＦタイマーをセットする場合は、リモコン６又は室内機の操作部の操作ボタンにより二酸化炭素排出量を設定する。設定された二酸化炭素排出量は、二酸化炭素排出量切タイマー値としてセットされ、室内機１のマイコン１０へ送信される。
【００３４】
図５の制御フローチャートに示すように、マイコン１０では、時間入タイマーが設定時間になれば、空気調和機の運転を開始する。空気調和機が運転中に、二酸化炭素排出量が、前もって設定されている二酸化炭素排出量になれば、二酸化炭素排出量切タイマー値と等しくなったときに空気調和機の運転を停止する。
【００３５】
このように、本実施形態では、二酸化炭素排出量により空気調和機等の機器の運転時間を使用者が設定できるので、使用者の環境に対する配慮並びに、環境保全に参加しているという意識を高めることができ、省エネと環境保全に有用となる。
【００３６】
また、設定された二酸化炭素排出量に達したとき機器の運転をＯＦＦする運転ＯＦＦタイマーと、時間入タイマーとを併用可能としているので、時間入タイマーで運転ＯＮ後、設定された二酸化炭素排出量に達すると運転ＯＦＦすることで、設定時間になると運転を停止する時間切タイマーと同じ感覚で使用することができる。
【００３７】
なお、本実施形態では、空気調和機の運転は、設定された二酸化炭素排出量に基づく運転のみについて説明したが、このような設定運転モードと、二酸化炭素排出量に基づかない通常の運転モードの両方を実行できるようにしてもよい。この場合、通常運転モードと設定運転モードとの切換えは、リモコンや室内機の操作部に設けた選択スイッチを使用して行うようにすればよい。
【００３８】
［第２の実施形態］
図６は第２の実施形態を示す空気調和機の制御フローチャートである。本実施形態は、第１の実施形態のように、二酸化炭素排出量を設定するのではなく、マイコン１０に運転ＯＦＦするまでの二酸化炭素排出量を予め記憶しておき、マイコン１０では、機器本体の運転ＯＮ後、消費電力測定手段８により測定した消費電力から二酸化炭素排出量を演算し、この二酸化炭素排出量が記憶された二酸化炭素排出量になったときに自動的に運転ＯＦＦする自動運転モードを実行できるようになっている。その他の構成は、図１〜図３に示す第１の実施形態と同様である。
【００３９】
次に、空気調和機の制御動作を説明すると、マイコン１０は、図６に示すように、機器本体の運転ＯＮ後、消費電力測定手段８により測定した消費電力から二酸化炭素排出量を演算し、その値が自動ＯＦＦタイマー設定値、つまり運転ＯＮ後に消費された二酸化炭素排出量が室内機に予め記憶された二酸化炭素排出量、になったか否かを判断し、自動ＯＦＦタイマー設定値になると運転停止する。
【００４０】
このように、本実施形態では、室内機本体に予め記憶されている運転ＯＦＦまでの二酸化炭素排出量に基づいて運転を制御するため、使用者がその都度、二酸化炭素排出量を設定入力する手間を省くことができる。
【００４１】
なお、本実施形態においても、時間入タイマーと併用して設定時間になれば、時間入タイマーで運転ＯＮ後、室内機に記憶された二酸化炭素排出量に達すると運転ＯＦＦするようにしてもよい。
【００４２】
また、本実施形態における空気調和機の運転は、予め記憶された二酸化炭素排出量に基づく運転のみについて説明したが、このような自動運転モードと、二酸化炭素排出量に基づかない通常の運転モードの両方を実行できるようにしてもよい。この場合、通常運転モードと自動運転モードとの切換えは、リモコンや室内機の操作部に設けた選択スイッチを使用して行うようにすればよい。例えば、選択スイッチにより、自動運転モードを無効にしたときには、通常運転モードに切換えられ、有効にしたときには、自動運転モードに切換えられるようにすればよい。
【００４３】
［第３の実施形態］
図７は第３の実施形態を示す室内機の外観図、図８はその制御フローチャートである。本実施形態の空気調和機は、第１の実施形態における設定運転モードと、第２の実施形態における自動運転モードとの両方を実行できるようにしたものである。
【００４４】
すなわち、本実施形態では、運転ＯＦＦする二酸化炭素排出量を設定する設定手段と、運転ＯＦＦする二酸化炭素排出量を記憶する記憶手段とを備え、マイコン１０は、設定された二酸化炭素排出量に達したときに運転ＯＦＦする設定運転モードと、機器本体の運転ＯＮ後、記憶された二酸化炭素排出量になったときに自動的に運転ＯＦＦする自動運転モードとのいずれかを選択して実行できるようになっている。
【００４５】
この自動運転モードと設定運転モードとの切換えは、自動運転モードの有効・無効を設定する選択スイッチで行えばよい。選択スイッチ１２，１３は、図７に示すリモコンの操作部や室内機１の前面パネル部に設けられた操作部に配置されている。両選択スイッチ１２、１３は、これを押す毎に自動運転モードの有効・無効を設定することができるようになっている。
【００４６】
なお、図７において、スイッチ１２はプッシュスイッチであるが、スライドスイッチなど、別のスイッチでも構わない。また、図７に示すように、自動運転モードの有効・無効を表示する表示部１４としてのＬＥＤが室内機の前面パネル部に設けられている。自動運転モードが有効である場合、ＬＥＤ１４が点灯して使用者に知らせる。また、無効である場合には消灯する。その他の構成は上記第１の実施形態と同様である。
【００４７】
次に、空気調和機の制御動作を図８のフローチャートに基づいて説明する。図８に示すように、運転ＯＮ後、マイコン１０では、自動ＯＦＦタイマー（自動運転モード）の有効・無効を判定し、有効である場合には、自動運転モードを実行し、消費電力測定手段８で測定した消費電力から算出された二酸化炭素排出量が、予め記憶された二酸化炭素排出量（自動ＯＦＦタイマー設定値）に達したか否かを判断し、自動ＯＦＦタイマー設定値になったときには運転を停止する。
【００４８】
一方、自動ＯＦＦタイマーが無効の場合、マイコン１０は、設定運転モードと判断して、消費電力測定手段８で測定した消費電力から算出される二酸化炭素排出量が設定された二酸化炭素排出量（二酸化炭素排出量切タイマー値）に達したか否かを判断し、二酸化炭素排出量切タイマー値になったときに運転を停止する。
【００４９】
このように、本実施形態では、自動ＯＦＦ機能の要否を使用者が選択することができるので、使用性に優れている。また、自動ＯＦＦ機能のＯＮ／ＯＦＦ状態はＬＥＤ１４に表示され、使用者が視覚的に判断することができる。
【００５０】
なお、本実施形態では、室内機１とリモコン６の両方に選択スイッチ１２，１３を設けた例を示したが、室内機及びリモコン６のいずれか一方にのみ、選択スイッチを設けた構成であってもよい。また、本実施形態では、設定運転モードと自動運転モードとの２通りの運転モードの切換え制御について説明したが、これ以外に二酸化炭素排出量に基づかない通常運転モードも実行できるようにし、３つのモードを切換え制御できるようにしてもよい。
【００５１】
［第４の実施形態］
図９は第４の実施形態を示す制御フローチャートである。本実施形態は、従来から使用されている入切タイマー２３に加えて二酸化炭素排出量切タイマーを使用できるようにしたものである。すなわち、マイコン１０は、時間切タイマーと、所定の二酸化炭素排出量に達したとき機器の運転をＯＦＦする運転ＯＦＦタイマーとを併用可能とし、両タイマーが共に設定されたときに、先に運転停止条件に達したタイマーにて運転ＯＦＦするようにしている。
【００５２】
図９に示すように、マイコン１０は、入切タイマー２３と運転ＯＦＦタイマーとが共に設定されているときに、時間入タイマーが設定時間になれば、空気調和機の運転を開始する。マイコン１０は、空気調和機の運転中に、時間切タイマーが設定時間になれば運転を停止する。さらに、二酸化炭素排出量が設定されている二酸化炭素排出量（二酸化炭素排出量切タイマー値）と等しくなれば、空気調和機の運転を停止する。上記何れのタイマー処理も行わない時は、その他の処理を実行する。
【００５３】
このように、本実施形態では、先に運転停止条件に達したタイマーにて運転ＯＦＦするようにしているので、使用性が良くなる。
【００５４】
なお、上記実施形態では、設定された二酸化炭素排出量に達したときに運転ＯＦＦする設定運転モードと、時間切タイマーとの併用について説明したが、これに限らず、第２の実施形態に示すように、機器本体の運転ＯＮ後、記憶された二酸化炭素排出量になったときに自動的に運転ＯＦＦする自動運転モードを実行可能な空気調和機においては、この自動運転モードと時間切タイマーとを併用するようにしてもよい。すなわち、運転ＯＮ後、空気調和機の運転中に、時間切タイマーが設定時間になれば運転を停止し、また、室内機に記憶された二酸化炭素排出量に達すると運転ＯＦＦするよう、先に運転停止条件に達したタイマーにて運転ＯＦＦするようにしてもよい。
【００５５】
［第５の実施形態］
図１０は第５の実施形態を示す制御フローチャートである。本実施形態においては、マイコン１０は、従来から使用されている入切タイマー２３に加えて二酸化炭素排出量切タイマーを使用できるようにした場合、時間切タイマーと、二酸化炭素排出量切タイマーとが同時に設定されたときには、時間切タイマーを優先タイマーとするようにしている。
【００５６】
すなわち、マイコン１０は、図１０に示すように、入切タイマー２３の時間入タイマーが設定されているとき、まず、時間入タイマーが設定時間になれば、空気調和機の運転を開始する。この空気調和機の運転中に、時間切タイマーと、二酸化炭素排出量切タイマーとが同時に設定されているとき、二酸化炭素排出量切タイマーによる運転停止の判定を行なわず、時間切タイマーが設定時間になるまで、その他の処理を実行する。そして、時間切タイマーが設定時間になれば運転を停止する。
【００５７】
つまり、二酸化炭素排出量切タイマーは、時間切タイマーが設定されていない場合にのみ有効となる。従って、マイコン１０は、空気調和機の運転中に、時間切タイマーが設定されていない場合のみ、消費電力測定手段８で測定した消費電力から演算した二酸化炭素排出量が、前もって設定されている二酸化炭素排出量（二酸化炭素排出量切タイマー値）と等しいか否かを判断し、等しくなったときに空気調和機の運転を停止する。上記何れのタイマー処理作業を行わない時は、その他の処理を実行する。
【００５８】
このように、本実施形態では、時間切タイマーと二酸化炭素排出量切タイマーとが同時に設定されたとき、時間切タイマーを優先タイマーとしているので、希望の時間に空気調和機を運転ＯＦＦすることができる。
【００５９】
なお、上記実施形態では、設定された二酸化炭素排出量に達したときに運転ＯＦＦする設定運転モードと時間切タイマーとの併用について説明したが、これに限らず、第２の実施形態に示すような自動運転モードを実行可能な空気調和機において、その自動運転モードと時間切タイマーとを併用した場合、時間切タイマーを優先するようにしてもよい。
【００６０】
［第６の実施の形態］
図１１は第６の実施形態を示す制御フローチャートである。本実施形態においては、第５の実施形態とは逆に、マイコン１０は、従来から使用されている入切タイマー２３に加えて二酸化炭素排出量切タイマーを使用できるようにした場合、時間切タイマーと二酸化炭素排出量切タイマーが同時に設定されたときに、二酸化炭素排出量切タイマーを優先タイマーとしている。
【００６１】
すなわち、マイコン１０は、図１１に示すように、時間入タイマーが設定されているときに、時間入タイマーが設定時間になれば、空気調和機の運転を開始する。この空気調和機が運転中に、時間切タイマーと、二酸化炭素排出量切タイマーとが同時に設定されているときには、時間切タイマーによる運転停止判定は行わず、二酸化炭素排出量が設定された二酸化炭素排出量（二酸化炭素排出量切タイマー値）になれば運転を停止する。
【００６２】
時間切タイマーは、二酸化炭素排出量切タイマーが設定されていない場合にのみ有効となり、時間切タイマー設定時間になると、空気調和機の運転を停止する。上記何れのタイマー処理作業を行わない時は、その他の処理を実行する。
【００６３】
このように、本実施形態では、二酸化炭素排出量による運転ＯＦＦタイマーを優先タイマーとすることで、時間切タイマーが設定されているときでも、二酸化炭素排出量を使用者が制限することができる。
【００６４】
なお、本実施形態は、第２の実施形態に示すような自動運転モードを実行可能な空気調和機にも適用でき、その自動運転モードと時間切タイマーとを併用した場合、自動運転モードにおいて二酸化炭素排出量による運転ＯＦＦタイマーを時間切タイマーよりも優先させるようにしてもよい。
【００６５】
［第７の実施形態］
図１２は第７の実施形態を示す室内機の外観図である。本実施形態においては、時間切タイマーと二酸化炭素排出量切タイマーのどちらを優先タイマーにするかを選択できるスイッチ１５〜１７を室内機及びリモコン６に設けられている。
【００６６】
室内機１の操作部に設けられた選択スイッチ１５は、切換スライドスイッチとなっており、１５―Ａ側に切り替えると、時間切タイマーが優先し、１５―Ｂ側に切り替えると二酸化炭素排出量切タイマーが優先するようになっている。
【００６７】
また、リモコン６に設けられた選択スイッチ１６，１７は、２つのスイッチからなり、スイッチ１６を押すと時間切タイマー優先信号が室内機のマイコン１０へ送信され、時間切タイマーが優先タイマーとなる。スイッチ１７を押すと二酸化炭素排出量切タイマー優先信号が室内機のマイコン１０へ送信され、二酸化炭素排出量切タイマーが優先タイマーとなる。
【００６８】
なお、選択スイッチの別の実施例として、リモコン上の一つのスイッチを押す毎に時間切タイマーと二酸化炭素排出量切タイマーの優先タイマー切替信号を室内機へ送信することで優先タイマーを切り替えるようにしてもよい。この場合、どちらが優先タイマーか判りにくいので、判りやすいようにＬＥＤ等にて表示させる方法が考えられる。
【００６９】
図１３は制御フローチャートである。マイコン１０は、図１３に示すように、時間入切タイマーが設定されているとき、時間入タイマーが設定時間になれば空気調和機の運転を開始する。空気調和機の運転中に、時間切タイマーと二酸化炭素排出量切タイマーが同時に設定され、かつ二酸化炭素排出量切タイマーが優先タイマーに設定されているときは、時間切タイマーによる運転停止判定は行わずに、二酸化炭素排出量が設定された二酸化炭素排出量（二酸化炭素排出量切タイマー値）になれば運転を停止する。
【００７０】
また、時間切タイマーが優先タイマーに設定されているときには、二酸化炭素排出量切タイマーによる運転停止判定は行わずに、時間切タイマーが設定時間になれば運転を停止する。上記何れのタイマー処理作業も行わない時は、その他の処理を実行する。
【００７１】
このように、本実施形態では、２つのタイマーのどちらを優先するかを選択することができるので、使用性がよくなる。
【００７２】
なお、本実施形態における運転ＯＦＦタイマーは、設定された二酸化炭素排出量に基づく設定運転モードのみならず、第２の実施形態に示すように、室内機に予め記憶された二酸化炭素排出量に基づく自動運転モードの運転ＯＦＦタイマーとしても使用できる。
【００７３】
［第８の実施形態］
図１４は第８の実施形態を示す制御フローチャートである。本実施形態においては、マイコン１０は、運転ＯＮ後に所定の二酸化炭素排出量に達したときに即運転を停止するのではなく、一旦、省エネ運転モードに切換えた後に運転を停止するものである。ここで、省エネ運転モードとは、暖房時には設定温度を下げ、また、冷房時には設定温度を上げる運転モードをいう。この場合の温度変更幅は、例えば、極端に温度を変更したり、あるいは２〜３℃の範囲で変更するなど、適宜設定することもできる。
【００７４】
次に、その動作を説明すると、マイコン１０は、図１４に示すように、運転ＯＮ後に、二酸化炭素排出量が、前もって設定されている二酸化炭素排出量切タイマー値と等しくなったときに、空気調和機の運転を省エネ運転にした後、運転を停止する。等しくない場合は、その他の処理を実行する。
【００７５】
このように、運転ＯＮ後に設定された二酸化炭素排出量に達したときに省エネ運転モードに切換えると、二酸化炭素排出量を低減でき、次回の運転ＯＮを素早く行うことができる。
【００７６】
［第９の実施形態］
図１５は第１０の実施形態を示す室内機の外観図、図１６はその制御フローチャートである。本実施形態においては、マイコン１０には、設定された二酸化炭素排出量に達したときに運転ＯＦＦする運転ＯＦＦモードと、設定された二酸化炭素排出量に達したときに省エネ運転に切換える省エネ運転モードとに切換え可能に設定されており、これらのうちいずれかを選択できる選択スイッチ１８〜２０が室内機１及びリモコン６に設けられたものである。
【００７７】
室内機１の操作部に設けられた選択スイッチ１８は、切換スライドスイッチとなっており、１８―Ａ側に切り替えると、運転停止が選択され、スイッチ１８を１８―Ｂ側にすると省エネ運転が選択される。
【００７８】
リモコン側に設けられた選択スイッチは、所定の二酸化炭素排出量（二酸化炭素排出量切タイマー値）と等しくなったときに運転を停止する運転ＯＦＦ選択スイッチ１９と、所定の二酸化炭素排出量（二酸化炭素排出量切タイマー値）と等しくなったときに省エネ運転にする省エネ運転選択スイッチ２０とを備えている。選択スイッチ１９を押すと運転ＯＦＦ選択信号が室内機へ送信され、運転ＯＦＦモードが選択され、また、スイッチ２０を押すと省エネ運転選択信号が室内機へ送信され、省エネ運転モードが選択される。
【００７９】
この変形例として、リモコン上の一つのスイッチを押す毎に運転ＯＦＦ選択と省エネ運転選択切替信号を室内機へ送信する方法が考えられる。この場合、どちらが選択されているかわかりやすいようにＬＥＤ等にて表示させる方法が好ましい。
【００８０】
次に、その制御動作を説明すると、マイコン１０は、消費電力測定手段８による測定消費電力から演算した二酸化炭素排出量が、所定の二酸化炭素排出量（二酸化炭素排出量切タイマー値）と等しくなったときに運転を停止するか、または省エネ運転にするかを選択する。この場合、運転ＯＦＦモードが選択されていれば、空気調和機の運転を停止する。運転ＯＦＦモードが選択されていない場合は、省エネ運転を一定時間だけ行った後に運転を停止する。
【００８１】
このように、本実施形態においては、二酸化炭素排出量により運転ＯＦＦするか、省エネ運転するかを選択できるので使用性がよくなる。
【００８２】
なお、本実施形態における所定の二酸化炭素排出量は、使用者が設定した値と室内機に記憶された値のいずれであってもよい。また、省エネ運転モードにおいて、省エネ運転を所定時間行うようにしているが、この時間は、予めマイコン１０に記憶された時間によって運転を制御する以外に、使用者が省エネ運転時間を設定できるようにしてもよい。
【００８３】
さらに、省エネ運転において、設定温度から変更する温度変更幅は、適宜設定することができるようにしてもよい。例えば、運転ＯＦＦ前に、変更温度幅を３℃に設定した場合、設定温度が２７℃のときに、省エネ運転に切り換えると、冷房運転時で３０℃、また、暖房運転時で２４℃に設定温度が変更されて運転が行われる。
【００８４】
このように、機器本体の運転ＯＮ後、所定の二酸化炭素排出量になったときに、設定温度をある変化幅だけ変更して一定時間運転後、運転ＯＦＦするようにすれば、急激な温度変化の緩和を図ることができる。しかも、運転ＯＦＦするまでの猶予時間を設定したり、あるいは、その猶予時間の設定温度変化幅も変更するようにすれば、設定温度を段階的に変化させた後に運転ＯＦＦすることができ、使用感がよくなる。
【００８５】
なお、この例では、この運転ＯＦＦ猶予時間及び運転ＯＦＦ前変更温度幅を各々１種類しか例示していないが、それぞれを複数もたすことで、きめ細かい制御を行うことも可能である。
【００８６】
また、上記各実施形態においては、表示部の構成について詳述していないが、いずれの場合も消費電力から算出された二酸化炭素排出量を表示できるようになっており、これにより、使用者は、二酸化炭素排出量を視認することができる。
【発明の効果】
以上の説明から明らかな通り、本発明によると、算出される二酸化炭素排出量により運転ＯＦＦあるいは省エネ運転（例えば、暖房時なら設定温度を下げる、冷房時なら設定温度を上げる運転）を行うことで、使用者の環境に対する配慮並びに、環境保全に参加しているという意識を高めることができ、省エネと環境保全に有用となる。
【図面の簡単な説明】
【図１】本発明の第１の実施の形態を表す分離型空気調和機の室内機外観図
【図２】第１の実施形態における電気回路のブロック図
【図３】第１の実施形態における二酸化炭素排出量のセット過程を示すフローチャート
【図４】第１の実施形態におけるタイマーセットフローチャート
【図５】第１の実施形態における運転制御フローチャート
【図６】第２の実施形態における運転制御フローチャート
【図７】第３の実施形態における室内機の外観図
【図８】第３の実施形態における運転制御フローチャート
【図９】第４の実施形態における運転制御フローチャート
【図１０】第５の実施形態における運転制御フローチャート
【図１１】第６の実施形態における運転制御フローチャート
【図１２】第７の実施形態における室内機の外観図
【図１３】第７の実施形態における運転制御フローチャート
【図１４】第８の実施形態における運転制御フローチャート
【図１５】第９の実施形態における室内機の外観図
【図１６】第９の実施形態における運転制御フローチャート
【符号の説明】
１　　　　　　室内機
２　　　　　　壁面
３　　　　　　天井
４　　　　　　電源供給部
５　　　　　　表示部
６　　　　　　リモコン
７　　　　　　商用電源
８　　　　　　消費電力測定手段
９　　　　　　駆動回路
１０　　　　マイコン
１１　　　　制御機器
１２　　　　スイッチ
１３　　　　スイッチ
１４　　　　表示部（ＬＥＤ）
１５　　　　スイッチ
１６　　　　時間切タイマー優先スイッチ
１７　　　　二酸化炭素排出量切タイマー優先スイッチ
１８　　　　スイッチ
１９　　　　運転ＯＦＦ選択スイッチ
２０　　　　省エネ運転選択スイッチ
【図１】
2004060998.tif 000003
【図２】
2004060998.tif 000004
【図３】
2004060998.tif 000005
【図４】
2004060998.tif 000006
【図５】
2004060998.tif 000007
【図６】
2004060998.tif 000008
【図７】
2004060998.tif 000009
【図８】
2004060998.tif 000010
【図９】
2004060998.tif 000011
【図１０】
2004060998.tif 000012
【図１１】
2004060998.tif 000013
【図１２】
2004060998.tif 000014
【図１３】
2004060998.tif 000015
【図１４】
2004060998.tif 000016
【図１５】
2004060998.tif 000017
【図１６】
2004060998.tif 000018